(57)【要約】      （修正有）【課題】厚さの異なるクッション材を収容することができ、美観の低下することのないクッション用カバーを提供する。【解決手段】カバーは、周縁に上部ファスナー１０ｃを有する上面カバー部材１０と、周縁に下部ファスナー１１ａを有する下面カバー部材１１と、周面カバー部材１２とを備える。周面カバー部材１２は、上縁に設けられた第１周面ファスナー１２ａと、下縁に設けられた第２周面ファスナー１２ｂと、中央部に設けられた第３周面ファスナー１２ｃとを有する。上部ファスナー１０ｃは、第１周面ファスナー１２ａに係合自在であり、下部ファスナー１１ａは、第２周面ファスナー１２ｂ及び第３周面ファスナー１２ｃに、選択的に係合自在である。【選択図】図６
0003226602.tif 000002
【実用新案登録請求の範囲】
【請求項１】
厚さの異なるクッション材を選択的に収容するクッション材用カバーであって、
前記クッション材の上面を覆う上面カバー部材と、前記クッション材の下面を覆う下面カバー部材と、折り畳み自在な材料で形成され、前記クッション材の周面を覆う筒状の周面カバー部材とを備え、
前記上面カバー部材は、周縁に沿って延びている上部ファスナーを有し、
前記下面カバー部材は、周縁に沿って延びている下部ファスナーを有し、
前記周面カバー部材は、周面に沿って延びている第１周面ファスナーと、筒状の該周面カバー部材の軸線方向で前記上部ファスナーの下方に設けられ、周面に沿って延びている第２周面ファスナーと、前記第１周面ファスナーと前記第２周面ファスナーとの間に設けられ、周面に沿って延びている少なくとも１つの第３周面ファスナーとを有し、
前記第１周面ファスナーは、前記上面カバー部材の前記上部ファスナーに係合自在であり、
前記第２周面ファスナーは、前記下面カバー部材の前記下部ファスナーに係合自在であり、
前記第３周面ファスナーは、前記上面カバー部材の前記上部ファスナー、及び、前記下面カバー部材の前記下部ファスナーの少なくとも一方に係合自在であることを特徴とするクッション材用カバー。
【請求項２】
請求項１に記載のクッション材用カバーにおいて、
前記上面カバー部材は、前記クッション材の上面を覆う上面カバー部と、前記上面カバー部から下方に向かって延設され、前記クッション材の周面の上部を覆う筒状の周面上部カバー部とを有し、
前記上部ファスナーは、前記周面上部カバー部の周縁に沿って延び、且つ、前記下面カバー部材の前記下部ファスナーに、係合自在であることを特徴とするクッション材用カバー。
【請求項３】
請求項１又は請求項２に記載のクッション材用カバーにおいて、
前記周面カバー部材は、前記第２周面ファスナー及び前記第３周面ファスナーの少なくとも１つの上側の外面から下方に向かって延設されている延設部を有し、
前記延設部は、前記第２周面ファスナー又は前記第３周面ファスナーを覆っていることを特徴とするクッション材用カバー。
【請求項４】
請求項１〜請求項３のいずれか１項に記載のクッション材用カバーと、
前記クッション材用カバーに収容自在なクッション材とを備え、
前記クッション材は、複数の板状のクッション構成部材からなり、
前記クッション材の厚さは、前記クッション構成部材の積層数を変更することで変更自在であることを特徴とするクッション。
【請求項５】
請求項１〜請求項３のいずれか１項に記載のクッション材用カバーと、
前記クッション材用カバーに収容自在なクッション材とを備え、
前記クッション材は、複数の板状のクッション構成部材からなり、
前記クッション材の厚さは、前記クッション構成部材の積層数を変更することで変更自在であることを特徴とするマットレス。
【考案の詳細な説明】
【技術分野】
【０００１】
本発明は、厚さの異なるクッション材を選択的に収容するクッション材用カバー、並びに、それを用いたクッション及びマットレスに関する。
【背景技術】
【０００２】
従来、クッション、マットレス、乗り物のシート等に用いられるクッション材として、板状のクッション構成部材を積層して構成されているものがある（例えば、特許文献１参照）。特許文献１に記載のクッション材では、クッション構成部材の積層後にそれらのクッション構成部材同士が相対的に移動してしまわないように、隣接するクッション構成部材同士を接着剤等によって固定している。
【０００３】
ところで、近年、クッション材としてクッション構成部材を積層したものを採用するものの、クッション構成部材同士の固定は行わないクッションが提案されている。このクッションによれば、ユーザの希望に応じて、積層するクッション構成部材を適宜変更して、クッション材（ひいては、クッション）の厚さを変更することができる。
【先行技術文献】
【特許文献】
【０００４】
【特許文献１】特開２０２０−０３１９８１号公報
【考案の概要】
【考案が解決しようとする課題】
【０００５】
そのようにクッション材として厚さを変更可能なものを採用した場合、それを収容するためのクッション材用カバーとしては、クッション材を最も厚くした場合にも収容できるものを使用することが考えられる。
【０００６】
しかし、そのようなクッション材用カバーを採用すると、クッション材の厚さを薄く変更した場合に、クッション材の厚さに対してクッション材用カバーの内部空間が大きすぎることになるので、クッション材用カバーに何も収容していない部分ができてしまい、美観が低下してしまうおそれがあった。
【０００７】
本発明は以上の点に鑑みてなされたものであり、厚さの異なるクッション材を収容することができ、美観の低下することのないクッション材用カバー、並びに、それを用いたクッション及びマットレスを提供することを目的とする。
【課題を解決するための手段】
【０００８】
本発明のクッション材用カバーは、
厚さの異なるクッション材を選択的に収容するクッション材用カバーであって、
前記クッション材の上面を覆う上面カバー部材と、前記クッション材の下面を覆う下面カバー部材と、折り畳み自在な材料で形成され、前記クッション材の周面を覆う筒状の周面カバー部材とを備え、
前記上面カバー部材は、周縁に沿って延びている上部ファスナーを有し、
前記下面カバー部材は、周縁に沿って延びている下部ファスナーを有し、
前記周面カバー部材は、周面に沿って延びている第１周面ファスナーと、筒状の該周面カバー部材の軸線方向で前記上部ファスナーの下方に設けられ、周面に沿って延びている第２周面ファスナーと、前記第１周面ファスナーと前記第２周面ファスナーとの間に設けられ、周面に沿って延びている少なくとも１つの第３周面ファスナーとを有し、
前記第１周面ファスナーは、前記上面カバー部材の前記上部ファスナーに係合自在であり、
前記第２周面ファスナーは、前記下面カバー部材の前記下部ファスナーに係合自在であり、
前記第３周面ファスナーは、前記上面カバー部材の前記上部ファスナー、及び、前記下面カバー部材の前記下部ファスナーの少なくとも一方に係合自在であることを特徴とする。
【０００９】
このように、本発明のクッション材用カバーは、クッション材の上面を覆う上面カバー部材と、クッション材の下面を覆う下面カバー部材と、収納されるクッション材の周面を覆う周面カバー部材とを備えている。その周面カバー部材は、筒状であり、その軸線方向で上方側から順に、第１周面ファスナーと、第２周面ファスナーと、少なくとも１つの第３周面ファスナーとを有している。
【００１０】
ここで、周面カバー部材の第１周面ファスナーは、上面カバー部材の上部ファスナーと係合自在となっており、第２周面ファスナーは、下面カバー部材の下部ファスナーと係合自在となっている。
【００１１】
そのため、それらのファスナーを係合させた状態では、クッション材用カバーに収容可能なクッション材の厚さ（すなわち、クッション材用カバーの内部空間の広さ）は、周面カバー部材の第１周面ファスナーから第２周面ファスナーまでの距離に対応したものとなる。
【００１２】
また、周面カバー部材の第３周面ファスナーは、上面カバー部材の上部ファスナー、及び、下面カバー部材の下部ファスナーの少なくとも一方に、係合自在となっている。すなわち、第３周面ファスナーは、第１周面ファスナーに代わり、上面カバー部材の上部ファスナーと係合自在、又は、第２周面ファスナーに代わり、下面カバー部材の下部ファスナーと係合自在となっている。
【００１３】
そのため、周面カバー部材の第１周面ファスナーと上面カバー部材の上部ファスナーとを係合させ、周面カバー部材の第３周面ファスナーと下面カバー部材の下部ファスナーとを係合させた状態では、クッション材用カバーに収容可能なクッション材の厚さは、周面カバー部材の第１周面ファスナーから第３周面ファスナーまでの距離に対応したものとなる。
【００１４】
同様に、周面カバー部材の第２周面ファスナーと下面カバー部材の下部ファスナーとを係合させ、周面カバー部材の第３周面ファスナーと上面カバー部材の上部ファスナーとを係合させた状態では、クッション材用カバーに収容可能なクッション材の厚さは、周面カバー部材の第２周面ファスナーから第３周面ファスナーまでの距離に対応したものとなる。
【００１５】
ここで、第３周面ファスナーは、第１周面ファスナーと第２周面ファスナーとの間に設けられている。これにより、第３周面ファスナーに上部ファスナー又は下部ファスナーを係合させた場合には、第１周面ファスナーに上部ファスナーを係合させた場合、又は、第２周面ファスナーに下部ファスナーを係合させた場合と比べて、クッション材用カバーに収容可能なクッション材の厚さ（すなわち、クッション材用カバーの内部空間）は、薄くなる。
【００１６】
したがって、本発明のクッション材用カバーによれば、係合させるファスナーを変えることによって、収容するクッション材の厚さに応じて、そのクッション材に適した内部空間を形成することができる。ひいては、クッション材用カバーに何も収容していない部分ができてしまうことを防止して、美観の低下を抑制することができる。
【００１７】
さらに、このクッション材用カバーでは、周面カバー部材が、折り畳み自在な素材で形成されている。そのため、第３周面ファスナーに上部ファスナー又は下部ファスナーを係合させた場合には、周面カバー部材の余った部分（第３周面ファスナーから上方の部分又は下方の部分）は、カバーの内部に折り畳まれて、クッション材とともに収容される。
【００１８】
したがって、本発明のクッション材用カバーによれば、周面カバー部材の余った部分も内部に収容することができるので、その部分によって、美観が低下してしまうこともない。
【００１９】
また、本発明のクッション材用カバーにおいては、
前記上面カバー部材は、前記クッション材の上面を覆う上面カバー部と、前記上面カバー部から下方に向かって延設され、前記クッション材の周面の上部を覆う筒状の周面上部カバー部とを有し、
前記上部ファスナーは、前記周面上部カバー部の周縁に沿って延び、且つ、前記下面カバー部材の前記下部ファスナーに、係合自在であることが好ましい。
【００２０】
このように構成すると、上面カバー部材自体の内部にも、クッション材を収容することができるようになる。これにより、筒状の周面カバー部材を用いて形成される少なくとも２種類の内部空間の大きさに加え、上面カバー部材と下面カバー部材とだけを用いて形成される内部空間も選択し得るようになる。
【００２１】
その結果、さらに多くの種類の厚さのクッション材を適切に収容し得るようになるので、クッション材用カバーに何も収容していない部分ができてしまうことをさらに防止して、美観の低下を抑制することができる。
【００２２】
また、本発明のクッション材用カバーにおいては、
前記周面カバー部材は、前記第２周面ファスナー及び前記第３周面ファスナーの少なくとも１つの上側の外面から下方に向かって延設されている延設部を有し、
前記延設部は、前記第２周面ファスナー又は前記第３周面ファスナーを覆っていることが好ましい。
【００２３】
このように構成すると、周面カバー部材の第２周面ファスナー又は第３の周面ファスナーを下面カバー部材のファスナーに係合させた状態では、それらのファスナーは延設部によって覆われる。これにより、ファスナーが露出することによる美観の低下を抑制することができる。
【００２４】
また、本発明のクッションは、
上記いずれかのクッション材用カバーと、
前記クッション材用カバーに収容自在なクッション材とを備え、
前記クッション材は、複数の板状のクッション構成部材からなり、
前記クッション材の厚さは、前記クッション構成部材の積層数を変更することで変更自在であることを特徴とする。
【００２５】
また、本発明のマットレスは、
前記クッション材用カバーに収容自在なクッション材とを備え、
前記クッション材は、複数の板状のクッション構成部材からなり、
前記クッション材の厚さは、前記クッション構成部材の積層数を変更することで変更自在であることを特徴とする。
【図面の簡単な説明】
【００２６】
【図１】第１実施形態のクッションの斜視図。
【図２】図１のクッションの正面図。
【図３】図１のクッションの側面図。
【図４】図１のクッションの上面図。
【図５】図１のクッションの下面図。
【図６】図１のクッションの分解斜視図。
【図７】図１のクッションの周面カバー部材のファスナー周辺の拡大図
【図８】図１のクッションの高さを低くした場合における斜視図。
【図９】図８のクッションの内部の状態を示す下面図。
【図１０】図１のクッションの高さをさらに低くした場合における斜視図。
【図１１】図１のクッションの高さを高くした場合における斜視図。
【図１２】図１のクッションの変形例の斜視図。
【図１３】第２実施形態のクッションの斜視図。
【図１４】図１３のクッションの分解斜視図。
【図１５】第３実施形態のクッションの斜視図。
【図１６】図１５のクッションの分解斜視図。
【図１７】図１５のクッションの高さを最も低くした場合における斜視図。
【図１８】第４実施形態のクッションの斜視図
【図１９】図１８のクッションの分解斜視図。
【図２０】図１８のクッションの高さを最も低くした場合における斜視図。
【図２１】第５実施形態のマットレスの斜視図。
【図２２】図２１のマットレスの分解斜視図。
【考案を実施するための形態】
【００２７】
［第１実施形態］
以下、図１〜図１２を参照して、第１実施形態に係るクッションＣ１について説明する。なお、以下の説明における上下方向は、後述する周面カバー部材１２（図２等参照）の筒状部分の軸線方向を指す。
【００２８】
まず、図１〜図７を参照して、クッションＣ１の構造について説明する。なお、クッションＣ１の背面の形状は、側面の形状（図３参照）と同一であるので、図示省略している。
【００２９】
図１〜図６に示すように、クッションＣ１は、略直方体状のカバー１（クッション材用カバー）と、そのカバー１に積層して収容されているクッション材２とで構成されている。
【００３０】
図６に示すように、カバー１は、クッション材２の上面を覆う上面カバー部材１０と、クッション材２の下面を覆う下面カバー部材１１と、クッション材２の周面を覆う筒状の周面カバー部材１２とを備えている。
【００３１】
上面カバー部材１０は、クッション材２の上面を覆う、矩形の板状の上面カバー部１０ａと、布、合成樹脂等の折り畳み自在な材料で形成され、クッション材２の周面の上部を覆う、筒状の周面上部カバー部１０ｂとを有している。また、上面カバー部材１０は、その周面上部カバー部１０ｂの周縁に沿って延びている上部ファスナー１０ｃを有している。
【００３２】
下面カバー部材１１は、クッション材２の下面を覆う、矩形の板状の部材として形成されている。また、下面カバー部材１１は、その周縁に沿って延びている下部ファスナー１１ａを有している。
【００３３】
周面カバー部材１２は、布、合成樹脂等の折り畳み自在な材料で、クッション材２の周面を覆う筒状の部材として形成されている。また、周面カバー部材１２は、周面に沿って延びている第１周面ファスナー１２ａと、第２周面ファスナー１２ｂと、第３周面ファスナー１２ｃとを有している。
【００３４】
第１周面ファスナー１２ａは、周面カバー部材１２の上側の縁部に設けられている。第２周面ファスナー１２ｂは、第１周面ファスナー１２ａの下方（具体的には、周面カバー部材１２の下側の縁部）に設けられている。第３周面ファスナー１２ｃは、第１周面ファスナー１２ａと第２周面ファスナー１２ｂとの間（具体的には、周面カバー部材１２の上下方向中央部）に設けられている。
【００３５】
上面カバー部材１０の上部ファスナー１０ｃは、周面カバー部材１２の第１周面ファスナー１２ａ、及び、下面カバー部材１１の下部ファスナー１１ａに、選択的に係合自在となっている。なお、上部ファスナー１０ｃを、周面カバー部材１２の第３周面ファスナー１２ｃにも、係合自在としてもよい。
【００３６】
下面カバー部材１１の下部ファスナー１１ａは、上面カバー部材１０の上部ファスナー１０ｃに加え、周面カバー部材１２の第２周面ファスナー１２ｂ及び第３周面ファスナー１２ｃにも、係合自在となっている。
【００３７】
周面カバー部材１２の第２周面ファスナー１２ｂ及び第３周面ファスナー１２ｃは、下面カバー部材１１の下部ファスナー１１ａに加え、他の周面カバー部材１２の第１周面ファスナー１２ａにも、係合自在となっている。
【００３８】
ここで、図７に示すように、周面カバー部材１２は、第２周面ファスナー１２ｂ及び第３周面ファスナー１２ｃの各々の上側の外面から下方に向かって延設されている第１延設部１２ｄを有している。すなわち、第２周面ファスナー１２ｂ及び第３周面ファスナー１２ｃは、それぞれ対応する第１延設部１２ｄによって覆われている。
【００３９】
この第１延設部１２ｄを設けたことにより、第２周面ファスナー１２ｂ及び第３周面ファスナー１２ｃを、他のファスナーに係合した際には、それらのファスナーが、第１延設部１２ｄによって覆われる。これにより、使用状態においては、第１延設部１２ｄによって、それらのファスナーが露出することが防止されている。
【００４０】
同様に、上面カバー部材１０は、上部ファスナー１０ｃの上側の外面から下方に向かって延設されている第２延設部１０ｄを有している。すなわち、上部ファスナー１０ｃは、第２延設部によって覆われている。
【００４１】
この第２延設部１０ｄを設けたことにより、上部ファスナー１０ｃを、他のファスナーに係合した際には、それらのファスナーが、第２延設部１０ｄによって覆われる。これにより、使用状態においては、第２延設部１０ｄによって、それらのファスナーが露出することが防止されている。
【００４２】
なお、図７以外の図面においては、ファスナーを明示して理解を容易にするために、第１延設部１２ｄ及び第２延設部１０ｄの図示は、省略している。
【００４３】
図６に示すように、クッション材２は、複数の板状のウレタンマット２０（クッション構成部材）で構成されている。クッション材２の厚さは、ウレタンマット２０の積層数を変更することによって、変更自在となっている。
【００４４】
カバー１では、上面カバー部材１０の上面カバー部１０ａから上部ファスナー１０ｃまでの長さ、周面カバー部材１２の第１周面ファスナー１２ａから第３周面ファスナー１２ｃまでの長さ、及び、周面カバー部材１２の第３周面ファスナー１２ｃから第２周面ファスナー１２ｂまでの長さは、ほぼ同じ長さとなっている。そして、クッション材２を構成するウレタンマット２０の厚さは、それらの厚さに対応したものになっている。
【００４５】
なお、これらのクッション材用カバー及びクッション材の各構成部材のサイズは、このようなサイズに限定されるものではなく、それらによって構成されるクッション、マットレスの用途等に応じて、適宜設定してよい。
【００４６】
次に、図１、図６、図８〜図１１を参照して、クッションＣ１の使用状態について説明する。
【００４７】
図１及び図６に示すように、周面カバー部材１２は、筒状であり、上方側から順に、第１周面ファスナー１２ａと、第３周面ファスナー１２ｃと、第２周面ファスナー１２ｂとを有している。
【００４８】
ここで、図１に示すように、第１周面ファスナー１２ａは、上面カバー部材１０の上部ファスナー１０ｃと係合自在となっている。また、第２周面ファスナー１２ｂは、下面カバー部材１１の下部ファスナー１１ａと係合自在となっている。
【００４９】
そのため、それらのファスナーを係合させた状態では、カバー１に収容可能なクッション材２の厚さ（すなわち、カバー１の内部空間の広さ）は、上面カバー部材１０の上面カバー部１０ａから上部ファスナー１０ｃまで（すなわち、周面上部カバー部１０ｂの下端まで）の距離と、上部ファスナー１０ｃに係合している周面カバー部材１２の第１周面ファスナー１２ａから第２周面ファスナー１２ｂまでの距離とを、足し合わせた距離に対応したものとなる。
【００５０】
これにより、カバー１は、ウレタンマット２０を３枚積層して形成したクッション材２を収容可能となる（図６参照）。
【００５１】
また、図８に示すように、下面カバー部材１１の下部ファスナー１１ａは、周面カバー部材１２の第２周面ファスナー１２ｂに代わり、第３周面ファスナー１２ｃにも係合自在となっている。
【００５２】
そのため、下部ファスナー１１ａに第２周面ファスナー１２ｂに代わって第３周面ファスナー１２ｃを係合させた場合には、カバー１に収容可能なクッション材２の厚さ（すなわち、カバー１の内部空間の広さ）は、上面カバー部材１０の上面カバー部１０ａから上部ファスナー１０ｃまで（すなわち、周面上部カバー部１０ｂの下端まで）の距離と、上部ファスナー１０ｃに係合している周面カバー部材１２の第１周面ファスナー１２ａから第３周面ファスナー１２ｃまでの距離とを、足し合わせた距離に対応したものとなる。
【００５３】
これにより、カバー１は、ウレタンマット２０を２枚積層して形成したクッション材２を収容可能となる。すなわち、図１に示した状態に比べ、クッションＣ１の厚さ（すなわち、カバー１の内部空間、又は、収容可能なクッション材２の厚さ）が薄くなる。
【００５４】
このとき、図９に示すように、周面カバー部材１２の余った部分（具体的には、第３周面ファスナー１２ｃよりも下方の部分（図６等参照））は、内側に向かって折り畳まれて、クッション材２とともに、カバー１の内部に収容される。
【００５５】
また、図１０に示すように、上面カバー部材１０の上部ファスナー１０ｃは、周面カバー部材１２の第１周面ファスナー１２ａに代わり、下面カバー部材１１の下部ファスナー１１ａにも係合自在となっている。すなわち、周面カバー部材１２を介さずに、上面カバー部材１０を、直接、下面カバー部材１１に接続することが可能となっている。
【００５６】
そのため、上部ファスナー１０ｃに第１周面ファスナー１２ａに代わって下部ファスナー１１ａを係合させた場合には、カバー１に収容可能なクッション材２の厚さ（すなわち、カバー１の内部空間の広さ）は、上面カバー部材１０の上面カバー部１０ａから上部ファスナー１０ｃまで（すなわち、周面上部カバー部１０ｂの下端まで）の距離に対応したものとなる。
【００５７】
これにより、カバー１は、ウレタンマット２０を１枚だけ用いて形成したクッション材２を収容可能となる。すなわち、図８に示した状態に比べ、クッションＣ１の厚さ（すなわち、カバー１の内部空間、又は、収容可能なクッション材２の厚さ）が、さらに薄くなる。
【００５８】
また、図１１に示すように、周面カバー部材１２の第２周面ファスナー１２ｂは、下面カバー部材１１の下部ファスナー１１ａに代わり、他の周面カバー部材１２の第１周面ファスナー１２ａにも係合自在となっている。すなわち、周面カバー部材１２同士を接続することによって、複数の周面カバー部材１２を用いてカバー１を構成することが可能となっている。
【００５９】
そのため、例えば、上面カバー部材１０と、下面カバー部材１１と、２つの周面カバー部材１２を用いてカバー１を構成した場合には、カバー１に収容可能なクッション材２の厚さ（すなわち、カバー１の内部空間の広さ）は、上面カバー部材１０の上面カバー部１０ａから上部ファスナー１０ｃまで（すなわち、周面上部カバー部１０ｂの下端まで）の距離と、周面カバー部材１２の第１周面ファスナー１２ａから第２周面ファスナー１２ｂまでの距離の２つ分の距離とを、足し合わせた距離に対応したものとなる。
【００６０】
これにより、カバー１は、ウレタンマット２０を５枚積層して形成したクッション材２を収容可能となる。すなわち、図１に示した状態に比べ、クッションＣ１の厚さ（すなわち、カバー１の内部空間、又は、収容可能なクッション材２の厚さ）が、厚くなる。
【００６１】
ここで、下面カバー部材１１側に位置する周面カバー部材１２を、その第２周面ファスナー１２ｂではなく、第３周面ファスナー１２ｃによって、下面カバー部材１１に接続した場合には、カバー１は、ウレタンマット２０を４枚積層して形成したクッション材２を収容可能となる。
【００６２】
これは、周面カバー部材１２の第２周面ファスナー１２ｂ及び第３周面ファスナー１２ｃを、下面カバー部材１１の下部ファスナー１１ａに加え、他の周面カバー部材１２の第１周面ファスナー１２ａにも、係合自在としているためである。しかし、必ずしもそのように構成する必要はなく、第２周面ファスナー１２ｂのみを、下部ファスナー１１ａに加え、他の周面カバー部材１２の第１周面ファスナー１２ａにも、係合自在としてもよい。
【００６３】
また、周面カバー部材１２を３つ以上用いてカバー１を構成した場合には、ウレタンマット２０を６枚以上積層して形成したクッション材２を収容可能となる。
【００６４】
以上説明したように、カバー１によれば、係合させるファスナーを変えることによって、収容するクッション材２の厚さに応じて、そのクッション材２に適した内部空間を形成することができる。ひいては、カバー１に何も収容していない部分ができてしまうことを防止して、美観の低下を抑制することができる。
【００６５】
また、カバー１によれば、係合させるファスナーを変えた結果、周面カバー部材１２に余った部分が生じてしまっても、その余った部分もカバー１の内部に収容することができるので、その部分によって、美観が低下してしまうこともない。
【００６６】
なお、本実施形態においては、クッションＣ１として、直方体状のクッションを用いて説明した。しかし、本発明のクッションは、そのような構成に限定されるものではなく、厚さの異なるクッション材を、選択的にクッション材用カバーに収容するものであればよい。
【００６７】
そのため、例えば、図１２に示す変形例のように、円柱形状のクッションであってもよい。この場合、カバー１を構成する周面カバー部材１２は、円筒形状となり、クッション材２を構成するウレタンマット２０は、円板形状となる。なお、丸型の他、平面視で多角形状の柱状であってもよい。
【００６８】
［第２実施形態］
以下、図１３及び図１４を参照して、第２実施形態に係るクッションＣ２について説明する。
【００６９】
なお、本実施形態のクッションＣ２は、周面カバー部材１２の形状が異なることを除き、第１実施形態のクッションＣ１と同様の構成を備えている。そのため、以下の説明においては、周面カバー部材１２の構成のみを詳細に説明する。また、第１実施形態のクッションＣ１と同一の構成又は対応する構成については、同一の符号を付すとともに、詳細な説明は省略する。
【００７０】
図１３及び図１４に示すように、クッションＣ２は、略直方体状のカバー１（クッション材用カバー）と、そのカバー１に積層して収容されているクッション材２とで構成されている。カバー１は、クッション材２の上面を覆う上面カバー部材１０と、クッション材２の下面を覆う下面カバー部材１１と、クッション材２の周面を覆う筒状の２つの周面カバー部材１２とを備えている。
【００７１】
周面カバー部材１２は、クッション材２の周面を覆う筒状の部材として形成されている。なお、本実施形態では、周面カバー部材１２の軸線方向の長さは、クッション材２を構成するウレタンマット２０の１枚当たりの厚さに対応したものになっている。
【００７２】
また、周面カバー部材１２は、周面に沿って延びている第１周面ファスナー１２ａと、第２周面ファスナー１２ｂと有している。ただし、この周面カバー部材１２は、第１実施形態のクッションＣ１の周面カバー部材１２とは異なり、第３周面ファスナー１２ｃを有していない。
【００７３】
このように構成されているクッションＣ２のカバー１によれば、構成する際に用いる周面カバー部材１２の数を変えることによって、収容するクッション材２の厚さに応じて、そのクッション材２に適した内部空間を形成することができる。
【００７４】
したがって、このカバー１によれば、用いる周面カバー部材１２の数を変えることによって、収容するクッション材２の厚さに応じて、そのクッション材２に適した内部空間を形成することができる。ひいては、このカバー１に何も収容していない部分ができてしまうことを防止して、美観の低下を抑制することができる。
【００７５】
なお、クッションＣ２を構成する周面カバー部材１２は、その一部をカバー１の内部に折り畳んで収容することはないので、必ずしも、第１実施形態のクッションＣ１の周面カバー部材１２のように、布、合成樹脂等の折り畳み自在な材料で形成する必要はない。
【００７６】
また、このクッションＣ２を構成するに際し、カバー１を、必ずしも、本実施形態のように第１周面ファスナー１２ａ及び第２周面ファスナー１２ｂのみを備えているものだけで構成する必要はない。
【００７７】
例えば、本実施形態の第１周面ファスナー１２ａ及び第２周面ファスナー１２ｂのみを有している周面カバー部材１２に、第１周面ファスナー１２ａ、第２周面ファスナー１２ｂ及び第３周面ファスナー１２ｃを有している第１実施形態のクッションＣ１の周面カバー部材１２を組み合わせて、カバー１を構成してもよい。
【００７８】
［第３実施形態］
以下、図１５〜図１７を参照して、第３実施形態に係るクッションＣ３について説明する。
【００７９】
なお、本実施形態のクッションＣ３は、周面カバー部材１２を備えておらず、上面カバー部材１０の形状が異なることを除き、第１実施形態のクッションＣ１と同様の構成を備えている。そのため、以下の説明においては、上面カバー部材１０の構成のみを詳細に説明する。また、第１実施形態のクッションＣ１と同一の構成又は対応する構成については、同一の符号を付すとともに、詳細な説明は省略する。
【００８０】
図１５及び図１６に示すように、クッションＣ３は、略直方体状のカバー１（クッション材用カバー）と、そのカバー１に積層して収容されているクッション材２とで構成されている。カバー１は、クッション材２の上面を覆う上面カバー部材１０と、クッション材２の下面を覆う下面カバー部材１１を備えている。
【００８１】
上面カバー部材１０は、クッション材２の上面を覆う、矩形の板状の上面カバー部１０ａと、布、合成樹脂等の折り畳み自在な材料で形成され、クッション材２の周面の上部を覆う、筒状の周面上部カバー部１０ｂとを有している。
【００８２】
また、上面カバー部材１０は、その周面上部カバー部１０ｂに、その下方の周縁に沿って延びている上部ファスナー１０ｃ（第１上部ファスナー）と、上部ファスナー１０ｃの上方で、周面上部カバー部１０ｂの周面に沿って延びている第１上部周面ファスナー１０ｅ（第２上部ファスナー）と、第１上部周面ファスナー１０ｅの上方で、周面上部カバー部１０ｂの周面に沿って延びている第２上部周面ファスナー１０ｆ（第２上部ファスナー）とを有している。
【００８３】
上面カバー部材１０の有している上部ファスナー１０ｃ、第１上部周面ファスナー１０ｅ及び第２上部周面ファスナー１０ｆは、下面カバー部材１１の有している下部ファスナー１１ａに、選択的に係合自在になっている。
【００８４】
このように構成されているクッションＣ３のカバー１によれば、カバー１に収容可能なクッション材２の厚さ（すなわち、カバー１の内部空間の広さ）を、下面カバー部材の有している下部ファスナー１１ａに係合させる上面カバー部材１０のファスナーを変更することによって、任意に変更することができる。
【００８５】
具体的には、例えば、上部ファスナー１０ｃを下部ファスナー１１ａに係合させた場合には、図１５に示すように、カバー１は、クッション構成部材２０（図１６参照）を３枚積層して構成したクッション材２を収容することができる。
【００８６】
また、例えば、第２上部周面ファスナー１０ｆを下部ファスナー１１ａに係合させた場合には、図１７に示すように、カバー１は、クッション構成部材２０を１枚だけ用いて構成したクッション材２を収容することができる。
【００８７】
このとき、周面上部カバー部１０ｂの余った部分（この状態では、第２上部周面ファスナー１０ｆよりも下方の部分）は、カバー１の内部に、第１上部周面ファスナー１０ｅごと折り畳まれて、クッション材２とともに収容される。
【００８８】
したがって、このカバー１によれば、収容するクッション材２の厚さに応じて、下部ファスナー１１ａに係合させる上面カバー部材１０のファスナーを変更することによって、そのクッション材２に適した内部空間を形成することができる。ひいては、カバー１に何も収容していない部分ができてしまうことを防止して、美観の低下を抑制することができる。
【００８９】
さらに、このカバー１では、上面カバー部材１０の周面上部カバー部１０ｂが、折り畳み自在な素材で形成されている。そのため、下部ファスナー１１ａに第１上部周面ファスナー１０ｅ又は第２上部周面ファスナー１０ｆを係合させた場合には、周面上部カバー部１０ｂの余った部分（第１上部周面ファスナー１０ｅ又は第２上部周面ファスナー１０ｆから下方の部分）は、カバー１の内部に折り畳まれて、クッション材２とともに収容される。
【００９０】
したがって、このカバー１によれば、上面カバー部材１０の周面上部カバー部１０ｂの余った部分も内部に収容することができるので、その部分によって、美観が低下してしまうこともない。
【００９１】
なお、クッションＣ３を構成するカバー１では、第２上部ファスナーとして、第１上部周面ファスナー１０ｅ及び第２上部周面ファスナー１０ｆの２つを設けている。しかし、本発明の上面カバー部材は、そのような構成に限定されるものではなく、第２上部ファスナーを１つだけ設けてもよいし、３つ以上設けてもよい。
【００９２】
また、クッションＣ３を構成するカバー１の上面カバー部材１０は、そのカバー１にのみ適用し得るものではない。そのため、第１実施形態のクッションＣ１のカバー１、又は、第２実施形態のクッションＣ２のカバー１に、本実施形態のクッションＣ３の上面カバー部材１０を適用してもよい。
【００９３】
また、クッションＣ３のカバー１は、上面カバー部材１０と下面カバー部材１１とによって、構成されている。しかし、本発明のクッション材用カバーは、そのような構成に限定されるものではない。
【００９４】
そのため、例えば、クッションＣ３を構成するカバー１の上面カバー部材１０及び下面カバー部材１１に、前述した第１実施形態のクッションＣ１の周面カバー部材１２、及び、第２実施形態のクッションＣ２の周面カバー部材１２の少なくとも一方と組み合わせて、カバー１を構成してもよい。
【００９５】
［第４実施形態］
以下、図１８〜図２０を参照して、第４実施形態に係るクッションＣ４について説明する。
【００９６】
なお、本実施形態のクッションＣ４は、下面カバー部材１１の形状が異なることを除き、第３実施形態のクッションＣ３と同様の構成を備えている。そのため、以下の説明においては、下面カバー部材１１の構成のみを詳細に説明する。また、第３実施形態のクッションＣ３と同一の構成又は対応する構成については、同一の符号を付すとともに、詳細な説明は省略する。
【００９７】
図１８及び図１９に示すように、クッションＣ４の下面カバー部材１１は、クッション材２の下面を覆う、矩形の板状の下面カバー部１１ｂと、布、合成樹脂等の折り畳み自在な材料で形成され、クッション材２の周面の下部を覆う、筒状の周面下部カバー部１１ｃとを有している。
【００９８】
また、下面カバー部材１１は、その周面下部カバー部１１ｃに、その上方の周縁に沿って延びている下部ファスナー１１ａ（第１下部ファスナー）と、下部ファスナー１１ａの下方で、周面下部カバー部１１ｃの周面に沿って延びている第１下部周面ファスナー１１ｄ（第２下部ファスナー）と、第１下部周面ファスナー１１ｄの上方で、周面下部カバー部１１ｃの周面に沿って延びている第２下部周面ファスナー１１ｅ（第２下部ファスナー）とを有している。
【００９９】
下面カバー部材１１の下部ファスナー１１ａ、第１下部周面ファスナー１１ｄ及びだい２下部周面ファスナー１１ｅは、いずれも、上面カバー部材１０の有している上部ファスナー１０ｃ、第１上部周面ファスナー１０ｅ及び第２上部周面ファスナー１０ｆのいずれかに、選択的に係合自在になっている。
【０１００】
このように構成されているクッションＣ４のカバー１によれば、カバー１に収容可能なクッション材２の厚さ（すなわち、カバー１の内部空間の広さ）を、係合させるファスナーを変更することによって、任意に変更することができる。
【０１０１】
具体的には、例えば、下部ファスナー１１ａを上部ファスナー１０ｃに係合させた場合には、図１８に示すように、カバー１は、クッション構成部材２０（図１９参照）を４枚積層して構成したクッション材２を収容することができる。
【０１０２】
また、第２下部周面ファスナー１１ｅを第２上部周面ファスナー１０ｆに係合させた場合には、図２０に示すように、カバー１は、クッション構成部材２０を２枚積層して構成したクッション材２を収容することができる。
【０１０３】
このとき、周面下部カバー部１１ｃの余った部分（この状態では、第２下部周面ファスナー１１ｅよりも上方の部分）、及び、周面上部カバー部１０ｂの余った部分（この状態では、第２上部周面ファスナー１０ｆよりも下方の部分）は、カバー１の内部に、第１上部周面ファスナー１０ｅ、又は、第１下部周面ファスナー１１ｄごと折り畳まれて、クッション材２とともに収容される。
【０１０４】
したがって、このカバー１によれば、収容するクッション材２の厚さに応じて、上面カバー部材１０のファスナーに係合させる下面カバー部材１１のファスナーを変更することによって、そのクッション材２に適した内部空間を形成することができる。ひいては、カバー１に何も収容していない部分ができてしまうことを防止して、美観の低下を抑制することができる。
【０１０５】
さらに、このカバー１では、上面カバー部材１０の周面上部カバー部１０ｂと同様に、下面カバー部材１１の周面下部カバー部１１ｃが折り畳み自在な素材で形成されている。そのため、上面カバー部材１０のファスナーに第１下部周面ファスナー１１ｄ又は第２下部周面ファスナー１１ｅを係合させた場合には、周面下部カバー部１１ｃの余った部分（第１下部周面ファスナー１１ｄ又は第２下部周面ファスナー１１ｅから下方の部分）は、カバー１の内部に折り畳まれて、クッション材２とともに収容される。
【０１０６】
したがって、このカバー１によれば、周面下部カバー部１１ｃの余った部分も内部に収容することができるので、その部分によって、美観が低下してしまうこともない。
【０１０７】
なお、クッションＣ４を構成するカバー１では、第２下部ファスナーとして、第１下部周面ファスナー１１ｄ及び第２下部周面ファスナー１１ｅの２つを設けている。しかし、本発明の下面カバー部材は、そのような構成に限定されるものではなく、第２上部ファスナーを１つだけ設けてもよいし、３つ以上設けてもよい。
【０１０８】
また、クッションＣ４を構成するカバー１の下面カバー部材１１は、そのカバー１にのみ適用し得るものではない。そのため、第１実施形態のクッションＣ１のカバー１、又は、第２実施形態のクッションＣ２のカバー１に、本実施形態のクッションＣ４の下面カバー部材１１を適用してもよい。
【０１０９】
また、クッションＣ４のカバー１は、上面カバー部材１０と下面カバー部材１１とによって、構成されている。しかし、本発明のクッション材用カバーは、そのような構成に限定されるものではない。
【０１１０】
そのため、例えば、クッションＣ４を構成するカバー１の上面カバー部材１０及び下面カバー部材１１に、前述した第１実施形態のクッションＣ１の周面カバー部材１２、及び、第２実施形態のクッションＣ２の周面カバー部材１２の少なくとも一方と組み合わせて、カバー１を構成してもよい。
【０１１１】
［第５実施形態］
以下、図２１及び図２２を参照して、第５実施形態に係るマットレスＭについて説明する。
【０１１２】
なお、本実施形態のマットレスＭは、クッションではなくマットレスであることを除き、第１実施形態のクッションＣ１と同様の構成を備えている。そのため、第１実施形態のクッションＣ１と同一の構成又は対応する構成については、同一の符号を付すとともに、詳細な説明は省略する。
【０１１３】
図２１及び図２２に示すように、マットレスＭは、略立方体状のカバー１（クッション材用カバー）と、そのカバー１に積層して収容されているクッション材２とで構成されている。そして、これらのカバー１及びクッション材２は、サイズが異なり、直方体ではなく立方体であることを除き、第１実施形態のクッションＣ１のカバー１及びクッション材２と同様の構成を備えている。
【０１１４】
このように構成されているマットレスＭでも、第１実施形態のクッションＣ１と同様に、カバー１に何も収容していない部分ができてしまうことを防止して、美観の低下を抑制することができる。また、周面カバー部材１２の余った部分も内部に収容することができるので、その部分によって、美観が低下してしまうこともない。
【０１１５】
なお、このマットレスＭの周面カバー部材１２として、第２実施形態のクッションＣ２のように第３周面ファスナーを有していない周面カバー部材を採用してもよい。また。このマットレスＭの上面カバー部材１０として、第３実施形態のクッションＣ３のような上面カバー部材を採用し、周面カバー部材を省略してもよい。
【０１１６】
［その他の実施形態］
以上、図示の実施形態について説明したが、本発明はこのような形態に限定されるものではない。
【０１１７】
例えば、上記実施形態では、図６、図１４、図１６、図１９、図２２に示すように、上面カバー部材１０は、クッション材２の上面を覆う、板状の上面カバー部１０ａと、クッション材２の周面の上部を覆う、筒状の周面上部カバー部１０ｂとを有している。しかし、本発明の上面カバー部材は、そのような構成に限定されるものではなく、クッション材の上面を覆うことができるものであればよい。
【０１１８】
そのため、例えば、上記実施形態における下面カバー部材１１と同様に、上面カバー部材を、板状の部材として形成してもよい。そのように形成した場合、上部ファスナーは、上面カバー部材の周縁部に沿って延びていればよい。また、上部ファスナーは、周面カバー部材のファスナーと係合自在であればよく、下部ファスナーと係合自在でなくてもよい。
【０１１９】
また、上記実施形態では、図６、図１４、図１６、図１９、図２２に示すように、下面カバー部材１１は、板状の部材として形成されている。しかし、本発明の下面カバー部材は、そのような構成に限定されるものではなく、クッション材の下面を覆うことができるものであればよい。
【０１２０】
そのため、例えば、上記実施形態における上面カバー部材１０と同様に、下面カバー部材を、クッション材の下面を覆う、板状の下面カバー部と、クッション材の周面の上部を覆う、筒状の周面下部カバー部とで構成してもよい。
【０１２１】
また、上記第１実施形態及び第２実施形態では、図６、図１４、図１６、図１９、図２２に示すように、周面カバー部材１２は、その軸線方向中央部に、第３周面ファスナー１２ｃを１つだけ備えている。しかし、本発明の第３周面ファスナーは、そのような構成に限定されるものではない。例えば、上方に位置する第１周面ファスナーと、下方に位置する第２周面ファスナーとの間に、軸線方向にずれた位置に複数の第３周面ファスナーを備えていてもよい。
【０１２２】
また、上記実施形態では、図７に示すように、上部ファスナー１０ｃ、第２周面ファスナー１２ｂ及び第３周面ファスナー１２ｃの上部に、それらのファスナーを覆うために、第１延設部１２ｄ、第２延設部１０ｄが設けられている。しかし、本発明は、そのような構成に限定されるものではなく、いずれかの延設部、又は、全ての延設部を省略してもよい。
【０１２３】
また、上記実施形態では、図６、図１４、図１６、図１９、図２２に示すように、クッション材２を、複数の板状のウレタンマット２０を積層して構成し、その積層数を変更することによって、クッション材２の厚さを変更可能にしている。しかし、本発明のクッション材用カバーに収容し得るクッション材は、そのような構成に限定されるものではない。
【０１２４】
例えば、厚さの異なるクッション材を複数準備し、それらのクッション材のうちからユーザの身体的特性等に応じて選択された１つのクッション材を、１つのクッション材用カバーに収容するようにしてもよい。また、ウレタン以外の伸縮性の大きな材料でクッション材を形成し、圧縮することによってクッション材の厚さを変更するようにしてもよい。
【符号の説明】
【０１２５】
１…カバー（クッション材用カバー）、２…クッション材、１０…上面カバー部材、１０ａ…上面カバー部、１０ｂ…周面上部カバー部、１０ｃ…上部ファスナー（第１上部ファスナー）、１０ｄ…第２延設部、１０ｅ…第１上部周面ファスナー（第２上部ファスナー）、１０ｆ…第２上部周面ファスナー（第２上部ファスナー）、１１…下面カバー部材、１１ａ…下部ファスナー（第１下部ファスナー）、１１ｂ…下面カバー部、１１ｃ…周面下部カバー部、１１ｄ…第１下部周面ファスナー（第２下部ファスナー）、１１ｅ…第２下部周面ファスナー（第２下部ファスナー）、１２…周面カバー部材、１２ａ…第１周面ファスナー、１２ｂ…第２周面ファスナー、１２ｃ…第３周面ファスナー、１２ｄ…第１延設部、２０…ウレタンマット（クッション構成部材）、Ｃ１、Ｃ２、Ｃ３、Ｃ４…クッション、Ｍ…マットレス。
【図１】
0003226602.tif 000003
【図２】
0003226602.tif 000004
【図３】
0003226602.tif 000005
【図４】
0003226602.tif 000006
【図５】
0003226602.tif 000007
【図６】
0003226602.tif 000008
【図７】
0003226602.tif 000009
【図８】
0003226602.tif 000010
【図９】
0003226602.tif 000011
【図１０】
0003226602.tif 000012
【図１１】
0003226602.tif 000013
【図１２】
0003226602.tif 000014
【図１３】
0003226602.tif 000015
【図１４】
0003226602.tif 000016
【図１５】
0003226602.tif 000017
【図１６】
0003226602.tif 000018
【図１７】
0003226602.tif 000019
【図１８】
0003226602.tif 000020
【図１９】
0003226602.tif 000021
【図２０】
0003226602.tif 000022
【図２１】
0003226602.tif 000023
【図２２】
0003226602.tif 000024